(57)【要約】【課題】偽造防止効果、改竄防止効果が高い領収書、有価証券、各種カードなどであって、最近のカラーコピーやスキャナインクジェットプリンタを用いても偽造されない偽造防止用シートの提供。【解決手段】  多数の穴３が施されて成り、前記穴３の集合体の内の所定の穴の内壁面の少なくとも１部に着色部４を設けて成る偽造防止用シート１であって、着色部４の集合体から形成される文字、図柄などの識別マークは、シート１の真上から見たのでは見えず、シート１を特定の斜め方向から見た時しか見ることができないので偽造するのが困難となる。【選択図】図１
2005041132.tif 000002
【特許請求の範囲】
【請求項１】
多数の穴が施されて成り、前記穴の集合体の内の所定の穴の内壁面の少なくとも１部に着色部を設けて成ることを特徴とする偽造防止用シート。
【請求項２】
レーザ加工により前記穴が形成されてなることを特徴とする請求項１記載の偽造防止用シート。
【請求項３】
前記穴がハーフカットであることを特徴とする請求項１あるいは請求項２記載の偽造防止用シート。
【請求項４】
ハーフカットの穴の底部に着色されて成ることを特徴とする請求項３記載の偽造防止用シート。
【発明の詳細な説明】
【技術分野】
【０００１】
本発明は、株券、債券、商品券、ＩＤカードなどの偽造防止を必要とする偽造防止用シートに関するものである。
【背景技術】
【０００２】
従来のこの種の偽造防止用シート（例えば、特許文献１参照）では、偽造防止用の透かしを入れたり、特殊インキで識別マークを印刷し、これら透かしあるいは識別マークを肉眼で確認して、真偽を判断している。しかし、この従来例によると、最近のカラーコピー機の高性能化や、印刷技術の向上により、一見しただけでは真偽の判断が困難な偽造品が作成される虞があるという不都合がある。また、肉眼では、通常は視認困難であるが、複写すると視認可能となる識別マークを印刷し、この識別マークの視認の可否によって真偽を判断することも行われている。しかし、肉眼で視認困難とはいえ、注意深く観察すると視認可能であり、また、視覚的な違和感を生じる場合もあるので、これを避けるようにデザインするのは、デザイン上の制約になるという不都合が生じる。
【０００３】
そこで本発明者は、シートの所定領域内に、複数の異なる角度でレーザ光を照射して透設された各角度毎の微小孔からなる複数の集合体で構成され、当該各角度毎の微小孔に光を透過させることで、当該各角度毎に別々に識別できる識別マークを設けた偽造防止用シートを提案した（特許文献２参照）。
【特許文献１】特開２００２−３５６０４９号公報
【特許文献２】特開２００３−１１５５８号公報
【発明の開示】
【発明が解決しようとする課題】
【０００４】
解決しようとする問題点は、最近のカラーコピーやスキャナインクジェットプリンタを用いて偽造される点である。本発明の目的は偽造防止効果、改竄防止効果が高い領収書、有価証券、各種カードなどであって、最近のカラーコピーやスキャナインクジェットプリンタを用いても偽造されない偽造防止用シートを提供することである。
【課題を解決するための手段】
【０００５】
本発明の請求項１の偽造防止用シートは、最近のカラーコピーやスキャナインクジェットプリンタを用いても偽造されないようにするために、多数の穴が施されて成り、前記穴の集合体の内の所定の穴の内壁面の少なくとも１部に着色部を設けて成ることを最も主要な特徴とする。
【０００６】
本発明の請求項２は、請求項１記載の偽造防止用シートにおいて、レーザ加工により前記穴が形成されてなることを特徴とする。
【０００７】
本発明の請求項３は、請求項１あるいは請求項２記載の偽造防止用シートにおいて、前記穴がハーフカットであることを特徴とする。
【０００８】
本発明の請求項４は、請求項３記載の偽造防止用シートにおいて、ハーフカットの穴の底部に着色されて成ることを特徴とする。
【発明の効果】
【０００９】
本発明の請求項１の偽造防止用シートは、多数の穴が施されて成り、前記穴の集合体の内の所定の穴の内壁面の少なくとも１部に着色部を設けて成ることを特徴とするものであり、例えば前記所定の穴の内壁面に沿って３６０°にわたり黒で着色部を設けたり、あるいは黒、赤、黄など多色を用いて着色部を設けると、シートへの情報量を多くできるとともに、内壁面に設けた前記着色部はシートの真上から見たのでは見えず、シートを特定の斜め方向から見た時に特定の図柄や文字が読み取れ、そしてシートをそれとは異なる斜め方向から見た時には別の図柄や文字が読み取れるなど、２つ以上の複数の異なる斜め方向から見た時にそれぞれに対応する２つ以上の複数の異なる図柄や文字が読み取れるようにすることができるので、最近のカラーコピーやスキャナインクジェットプリンタを用いても偽造するのは困難となるという顕著な効果を奏する。
【００１０】
本発明の請求項２は、請求項１記載の偽造防止用シートにおいて、レーザ加工により前記穴が形成されてなるので、小径の精密で精巧な穴の形成が容易となるという利点がある。
【００１１】
本発明の請求項３は、請求項１あるいは請求項２記載の偽造防止用シートにおいて、前記穴が貫通穴でなくハーフカットであるので、多数の穴を施してもシートの剛性、強度などが維持されるという利点がある。
【００１２】
本発明の請求項４は、請求項３記載の偽造防止用シートにおいて、ハーフカットの穴の底部に着色されて成るので、内壁面に設けた前記着色部はシートの真上から見たのでは見えないが、シートの真上から穴の底部に着色された図柄や文字などを見ることができるので、シートへの情報量を多くすることができるとともに、偽造するのがより困難となるという利点がある。またハーフカットであるとシート基材の剛性、強度などを損なわずに多数の穴を設けることができるという利点がある。
【発明を実施するための最良の形態】
【００１３】
以下、本発明の実施の形態を詳細に説明する。
図１は本発明のシートの１実施の形態を模式的に説明する説明図である。
図２は本発明のシートの他の実施の形態を模式的に説明する説明図である。
図３（イ）〜（ニ）は、本発明の他のシートを説明する説明図である。
【００１４】
図１において、本発明の偽造防止用シート１は、シート基材２に貫通穴３（シート基材２に設けられた多数の図示しない貫通穴の内の所定の穴の例）が施されており、この穴３の内壁面の１部に着色部４を設けてある。この着色部４は通常では肉眼による識別ができないが、すなわちたとえばシート１の真上や真下方向から見たのでは見えず、シート１を矢印で示した特定の方向から見た時しか見ることができない。したがって、たとえばレーザ光を照射して貫通して設けた多数の図示しない貫通穴の内の所定の穴３、３、・・・・の内壁面の１部に着色部４を設けて、シート１を矢印で示した特定の方向から見た時に図柄や文字が見えるようにすれば、シート１への情報量を多くすることができるとともに、高い偽造防止効果を得ることができる。
穴３の径は特に限定されないが、後述するレーザ光照射法の場合などはレーザ光の種類により異なるが約０．０３〜数ｍｍ程度の穴を精密かつ精巧に容易に設けることができる。穴３の径は小さい程、穴３の数は多い程、偽造困難となる効果が得られる。
【００１５】
図２において、本発明の他の偽造防止用シート１Ａは、シート基材２に貫通穴３（シート基材２に設けられた多数の図示しない貫通穴の内の所定の穴の例）が施されており、この穴３の内壁面の特定の４箇所に着色部４Ａ、４Ｂ、４Ｃ、４Ｄを設けてある。着色部４Ａ〜４Ｄは通常では肉眼による識別ができないが、すなわちたとえばシート１Ａの真上や真下方向から見たのでは見えず、シート１Ａを矢印４０、４１、４２、４３で示した特定の方向から見た時にそれぞれに対応する着色部４Ａ〜４Ｄを見ることができるようになっている。例えばレーザ光を照射して焦がして形成した黒色１色で着色部４Ａ〜４Ｄを設けることもでき、また、インクジェット技術と搬送制御、位置出し制御により黒、赤、黄など多色の着色部４Ａ〜４Ｄを設けることもできる。シート１Ａへの情報量をより一層多くできるとともに、より高い偽造防止効果を得ることができる。
【００１６】
図３に示したように、本発明の偽造防止用シート１Ｂには、「商品券」という標題５と、「￥１０，０００」と表示された額面表示６とを印刷によって設けている。本発明の偽造防止用シート１Ｂの左側領域には、多数の図示しない貫通穴の内の所定の穴３、３、・・・・の内壁面の１部に着色部４Ａ、Ｂ、・・・・を設けて、矢印ａ、ｂ、ｃ、ｄで示した特定の方向から見た時しか視認することができない、「壱萬」、「１０，０００」、「○△会社」、「花模様図柄」と識別される真偽判定用の識別マーク７、８、９、１０を形成している。
【００１７】
すなわち、図３（イ）に示したように、本発明の偽造防止用シート１Ｂを矢印ａで示した方向から見た時には「壱萬」と識別される真偽判定用の識別マーク７が見え、図３（ロ）に示したように、本発明の偽造防止用シート１Ｂを矢印ｂで示した方向から見た時には「１０，０００」と識別される真偽判定用の識別マーク８が見え、図３（ハ）に示したように、本発明の偽造防止用シート１Ｂを矢印ｃで示した方向から見た時には「○△会社」と識別される真偽判定用の識別マーク９が見え、図３（ニ）に示したように、本発明の偽造防止用シート１Ｂを矢印ｄで示した方向から見た時には「花模様図柄」と識別される真偽判定用の識別マーク１０が見えるように、多数の図示しない貫通穴の内の所定の穴３、３、・・・・の内壁面の１部に着色部４Ａ、Ｂ、・・・・を設けてある。
【００１８】
これらの識別マーク７、８、９、１０は、たとえばレーザ光を照射してシート基材に貫通して設けた多数の貫通穴の内壁面の１箇所あるいは２つ以上の特定の箇所に単色であるいは多色で着色部を設けたものの複数の集合体にて形成されている。
【００１９】
図４は、スキャンニング式ＣＯ2 レーザによりシート基材に多数の貫通穴を設けたり、その内壁面に着色部を設ける方法の１例を示す説明図である。
図４に示すように、ＣＯ2 レーザチューブ（レーザ発振器）２０から放射されたＣＯ2 レーザ光は、一旦ビームエキスパンダ２１によってビーム径を拡げ、Ｘ軸方向に走査させるＸ軸ガルバノメータ２２とＹ軸方向に走査させるＹ軸ガルバノメータ２３の２つガルバノメータに順次入射する。Ｘ軸ガルバノメータ２２とＹ軸ガルバノメータの角度を制御し、ｆθレンズ２４で小さなスポットに集光させ、レーザ光のエネルギーによってシート基材２に所定の位置に多数の貫通穴３、３、・・・を１つずつ順次設ける。また同様にして所定の貫通穴３の集合体の内壁面の少なくとも１部にレーザ光のエネルギーによって焦がして着色部を順次設ける。２５は第１スキャンミラー、２６は第２スキャンミラーである。
【００２０】
例えば、紙シート基材に直径０．１５ｍｍ以下の貫通穴を数百／秒で加工できる。ｆθレンズにはＺｎＳｅが用いられるが、屈折率の高いＧｅも使用される。ｆθレンズには高性能化を図るため高次非球面が採用され、組み付けの高精度化も図られている。
【００２１】
上記説明ではｆθレンズを用いる例を示したが、本発明においては、ガルバノスキャナーとレーザ発振器の間に集光レンズを設置し、集光レンズを物理的に動かすことにより焦点距離が同じになるように集光させる方法や、レーザ発振器から発せられたレーザ光を、ビームエキスパンダーを経て、マスクを透過させ、この透過レーザ光をさらに微小サイズに調整するための集光レンズを経て、シート基材の表面に対して照射することにより、シート基材の所定の箇所に多数の貫通穴を形成する方法などを用いることができる。
【００２２】
レーザ発振器としては、炭酸ガスレーザ発振器、エキシマレーザ発振器、ＹＡＧレーザ発振器などを使用することができ、特定のレーザに限定されるものではなく、シート基材の材質などに応じて選択する。上記の例の場合には、市販の炭酸ガスレーザ発振器が好適である。
【００２３】
図３に示した実施形態にあっては、矢印ａ、ｂ、ｃ、ｄで示した特定の方向から見た時、「壱萬」、「１０，０００」、「○△会社」、「花模様図柄」をすべて視認することができれば真性品、各識別マークがひとつでも視認できなければ偽造品と判断できる一方、このような微小な孔で特定の識別マークを同一領域内に形成し、偽造品を作成するのは困難なので、偽造品作成に対する抑止力が働き、偽造防止にも貢献できる。
【００２４】
なお、本発明は上述した実施形態に限定されるものではない。
例えば商品券以外に各種有価証券や紙幣、各種カード類にも適用できるほか、シート基材の材質も、紙に限らず合成紙やプラスチックあるいは金属などであってもよい。また識別マークを、アルファベットや数字、図形で構成してもよい。さらに、識別マークの数は４つに限らず、１つでもよく、２つ以上複数で有ればよりよい。
【００２５】
またさらに、レーザ発振器を使用して貫通孔や着色部を設けた例を示したが、カッター、ドリルなどを用いて貫通穴を設けてもよく、インクジェット技術と搬送制御、位置出し制御により着色部を設けることもできる。
【００２６】
またさらに、上述した実施形態においては、穴としてはシート基材を貫通する貫通穴の例を示したが、これに限定されるものではなく、図５に示すように前記穴はハーフカットであってもよい。
図５に示した本発明の他の偽造防止用シート１Ｃは、シート基材２にハーフカット穴３Ａ（シート基材２に設けられた多数の図示しないハーフカット穴の内の所定のハーフカット穴の例）が施されており、穴３Ａの内壁面の１部に着色部４を設けてあるとともにハーフカット穴３Ａの底部に着色４Ｅが形成されている。この着色部４は通常では肉眼による識別ができないが、シート１Ｃを矢印で示した特定の方向から見た時しか見ることができない。一方、着色４Ｅはシート１Ｃの上方から見ることができる。たとえば制御されたエネルギーを有するレーザ光を照射して設けた多数の図示しないハーフカット穴の内の所定の穴３Ａ、３Ａ、・・・・の底部の１部に着色４Ｅを設けた集合体を形成して、シート１Ｃを上方から見た時に図柄や文字が見えるようにすれば、着色部４とあいまってシート１Ｃへの情報量をさらに多くすることができるとともに、高い偽造防止効果を得ることができる。
【００２７】
ハーフカットの穴３Ａはエネルギーの低いレーザ光を用いたり、レーザ光の照射時間を少し短くするなど時間調整などによりシート基材２の所定の箇所に設けることができる。もちろんカッター、ドリルなどを用いてハーフカットの穴３Ａを設けることも可能であり、着色部４や着色４Ｅの形成も前記のようにレーザ光を用いたり、インクジェット技術と搬送制御、位置出し制御により設けることもできる。
【産業上の利用可能性】
【００２８】
本発明の偽造防止用シートは偽造防止効果、改竄防止効果が高く、最近のカラーコピーやスキャナインクジェットプリンタを用いても偽造されないので、領収書、有価証券、各種カードなどに適用でき、産業上の利用価値が高い。
【図面の簡単な説明】
【００２９】
【図１】本発明の偽造防止用シートの１実施の形態を模式的に説明する説明図である。
【図２】本発明の偽造防止用シートの他の実施の形態を模式的に説明する説明図である。
【図３】（イ）〜（ニ）は本発明の他の偽造防止用シートを説明する説明図である。
【図４】レーザ加工状態を示す概略説明図である。
【図５】本発明の他の偽造防止用シートの形態を模式的に説明する説明図である。
【符号の説明】
【００３０】
１、１Ａ、１Ｂ、１Ｃ  本発明の偽造防止用シート
２  シート基材
３  貫通穴
３Ａ  ハーフカット穴
４、４Ａ、４Ｂ、４Ｃ、４Ｄ  着色部
４Ｅ  着色
５  標題
６  額面表示
７、８、９、１０  識別マーク
【図１】
2005041132.tif 000003
【図２】
2005041132.tif 000004
【図３】
2005041132.tif 000005
【図４】
2005041132.tif 000006
【図５】
2005041132.tif 000007